(57)【要約】【課題】太陽電池モジュール間の結合構造を提供する。【解決手段】第１方向に沿って延びた第１面と、第１面に形成されかつ第１方向に沿って延びた第１挿入ホールと、を備えるフレームをそれぞれ備える複数の太陽電池モジュールと、第１方向と垂直の第２方向に延び、複数の太陽電池モジュールのうち隣接する２つのモジュールを連結するための固定部材と、を備え、固定部材は、隣接する２つのモジュールの第１挿入ホールにそれぞれ載置する第１締結部及び第２締結部を備え、第１挿入ホールそれぞれは、ガイド部及び挿入部を備え、ガイド部は、第１締結部及び第２締結部をそれぞれのガイド部に案内するために、前記挿入部からベンディングされた太陽電池アレイ。【選択図】図１Ａ
2014022728.tif 000002
【特許請求の範囲】
【請求項１】
第１方向に沿って延びた第１面と、前記第１面に形成されかつ前記第１方向に沿って延びた第１挿入ホールと、を備えるフレームをそれぞれ備える複数の太陽電池モジュールと、
前記第１方向と垂直の第２方向に延び、前記複数の太陽電池モジュールのうち隣接する２つのモジュールを連結するための固定部材と、を備え、
前記固定部材は、前記隣接する２つのモジュールの前記第１挿入ホールにそれぞれ載置する第１締結部及び第２締結部を備え、
前記第１挿入ホールそれぞれは、ガイド部及び挿入部を備え、前記ガイド部は、前記第１締結部及び前記第２締結部を前記ガイド部に案内するために、前記挿入部からベンディングされた太陽電池アレイ。
【請求項２】
前記固定部材は、半ダンベル状である請求項１に記載の太陽電池アレイ。
【請求項３】
前記第１締結部及び前記第２締結部それぞれは、半球状である請求項１に記載の太陽電池アレイ。
【請求項４】
前記固定部材は、前記固定部材の前記第１締結部と前記第２締結部との間に連結された連結部をさらに備える請求項１に記載の太陽電池アレイ。
【請求項５】
前記挿入部は、前記第１方向に沿って前記ガイド部まで延び、前記第１方向及び前記第２方向と垂直の第３方向に沿う前記ガイド部の幅が前記挿入部の幅より大きい請求項１に記載の太陽電池アレイ。
【請求項６】
前記固定部材が前記ガイド部内で回転自在になるように、前記ガイド部は、前記第１締結部または前記第２締結部と対応する形状を持つ請求項１に記載の太陽電池アレイ。
【請求項７】
前記ガイド部の一側は、前記第１締結部または前記第２締結部の曲率と同じ曲率を持つ請求項１に記載の太陽電池アレイ。
【請求項８】
前記ガイド部の一側は、前記ガイド部内に前記第１締結部または前記第２締結部の固定のために構成された第１固定部を備える請求項１に記載の太陽電池アレイ。
【請求項９】
前記第１締結部または前記第２締結部のうち少なくともいずれか一つは、前記第１固定部と噛み合ように構成された第２固定部を備える請求項８に記載の太陽電池アレイ。
【請求項１０】
前記第１固定部または前記第２固定部のうち少なくともいずれか一つは、弾性力を持つ請求項９に記載の太陽電池アレイ。
【請求項１１】
前記第１固定部または前記第２固定部のうち一つは溝または段差を持ち、前記第１固定部または前記第２固定部のうち他の一つは突起を持つ請求項９に記載の太陽電池アレイ。
【請求項１２】
前記挿入部は、前記第１方向に延びた複数の挿入部を備え、前記ガイド部は、複数のガイド部を備え、前記挿入部とガイド部とは互いに交互に配され、
前記第１方向及び前記第２方向と垂直の第３方向に沿う前記ガイド部の幅それぞれの幅は、前記挿入部のうち対応する一つの挿入部の幅より大きい請求項１に記載の太陽電池アレイ。
【請求項１３】
前記フレームは、前記第１面の端部から前記第２方向に沿って延びた第２面をさらに備え、前記第１挿入ホールの一部は、前記第２方向に沿って前記第２面内に延びた請求項１に記載の太陽電池アレイ。
【請求項１４】
前記複数の太陽電池モジュールのうちいずれか一つの太陽電池モジュールは、前記フレームの前記第２面に沿って延びた第２挿入ホールをさらに備える請求項１３に記載の太陽電池アレイ。
【請求項１５】
前記隣接する２つのモジュールの前記第１挿入ホールは、前記第２方向に互いに対向し、互いに対称形状である請求項１に記載の太陽電池アレイ。
【請求項１６】
隣接する太陽電池モジュールを連結するための固定部材であり、
第１締結部と、
第２締結部と、
第１方向に沿って延び、前記第１締結部及び前記第２締結部とそれぞれ連結された一端及び他端を備える連結部と、を備え、
前記第１方向と垂直の第２方向に沿う前記第１締結部及び前記第２締結部の幅は、前記連結部の幅より広く、
前記第１締結部及び前記第２締結部それぞれの断面は、曲線側及び直線側を備え、前記第１方向が前記断面に対して基準になり、
前記第１締結部及び前記第２締結部が、それぞれ前記隣接する太陽電池モジュールの挿入ホールに載置する時、前記固定部材は、前記第１方向に沿って延びた軸周りに回転自在に構成された固定部材。
【請求項１７】
前記固定部材は、半ダンベル状である請求項１６に記載の固定部材。
【請求項１８】
前記第１締結部及び前記第２締結部それぞれは、半球状である請求項１６に記載の固定部材。
【請求項１９】
前記連結部の断面は、長方形、円形または半円形である請求項１６に記載の固定部材。
【請求項２０】
前記固定部材は、前記挿入ホールの他の部分では回転不能であり、前記挿入ホールのガイド部内で前記第１方向に延びた軸周りに回転自在に、前記第１締結部及び前記第２締結部それぞれは、前記挿入ホールの前記ガイド部に対応する形状を持つ請求項１６に記載の固定部材。
【請求項２１】
前記曲線側は、前記挿入ホールの前記ガイド部の一側と同じ曲率を持つ請求項２０に記載の固定部材。
【請求項２２】
前記第１締結部または前記第２締結部のうち少なくともいずれか一つは、第１固定部を備え、前記第１固定部は、前記挿入ホールの前記ガイド部の一側上の第２固定部と噛み合ように構成された請求項２０に記載の固定部材。
【請求項２３】
前記第１固定部または前記第２固定部のうち少なくともいずれか一つは、弾性力を持つ請求項２２に記載の固定部材。
【請求項２４】
前記第１固定部または前記第２固定部のうち一つは、溝または段差を持ち、前記第１固定部または前記第２固定部のうち他の一つは、突起を持つ請求項２２に記載の固定部材。
【請求項２５】
前記第１締結部及び前記第２締結部それぞれは、半円筒状である請求項１６に記載の固定部材。
【請求項２６】
前記第１締結部及び前記第２締結部それぞれは、前記第１方向に沿って互いに離隔している２つの半円筒部を備える請求項１６に記載の固定部材。
【請求項２７】
前記曲線側は、他の曲率半径を持つ少なくとも２つのセクションを備える請求項１６に記載の固定部材。
【請求項２８】
前記第１方向に沿う前記第１締結部及び前記第２締結部それぞれの断面は、テーパ状である請求項１６に記載の固定部材。
【発明の詳細な説明】
【技術分野】
【０００１】
本発明は、太陽電池モジュール間の結合構造に係り、さらに詳細には、太陽電池モジュール間の結合及びアライメントを容易に行える太陽電池モジュール間の結合構造に関する。
【背景技術】
【０００２】
最近石油や石炭などの既存エネルギー資源の枯渇が予想されつつ、これらを取り替える代替エネルギーへの関心が高まりつつあり、その中でも太陽電池は、半導体素子を用いて太陽光エネルギーを直接電気エネルギーに変化させる次世代電池として注目されている。
【０００３】
太陽電池とは、光起電力効果（Ｐｈｏｔｏｖｏｌｔａｉｃ  ｅｆｆｅｃｔ）を用いて光エネルギーを電気エネルギーに変換させる装置であり、その構成物質によって、シリコン太陽電池、薄膜型太陽電池、染料感応型太陽電池及び有機高分子型太陽電池などに区分する。
【０００４】
一方、太陽電池を用いた太陽光発電装置は、太陽電池が直列あるいは並列に連結された複数の太陽電池モジュールを連結してなすアレイを備えるが、従来には、太陽電池モジュールのフレームにスクリューホールを加工した後、スクリューホールのアセンブリホールが形成された連結板などを、隣接する太陽電池モジュールの間に配させた後、アセンブリホール及びスクリューホールと結合するスクリュー組み立てによって複数の太陽電池モジュールを連結し、アレイを形成した。しかし、このような方法は、スクリューホール形成作業の困難性、スクリューホールとアセンブリホールとの不一致時に複数の太陽電池モジュール間のアライメントが容易でない点などの問題があった。
【発明の概要】
【発明が解決しようとする課題】
【０００５】
本発明の目的は、太陽電池モジュール間の結合及びアライメントを容易に行える太陽電池モジュール間の結合構造を提供するところにある。
【課題を解決するための手段】
【０００６】
前記目的を達成するための本発明の一側面による太陽電池アレイは、第１方向に沿って延びた第１面と、前記第１面に形成されかつ前記第１方向に沿って延びた第１挿入ホールと、を備えるフレームをそれぞれ備える複数の太陽電池モジュールと、前記第１方向と垂直の第２方向に延び、前記複数の太陽電池モジュールのうち隣接する２つのモジュールを連結するための固定部材と、を備え、前記固定部材は、前記隣接する２つのモジュールの前記第１挿入ホールにそれぞれ載置する第１締結部及び第２締結部を備え、前記第１挿入ホールそれぞれは、ガイド部及び挿入部を備え、前記ガイド部は、前記第１締結部及び前記第２締結部を前記それぞれのガイド部に案内するために、前記挿入部からベンディングされる。
【０００７】
本発明において、前記固定部材は、半ダンベル状である。
【０００８】
本発明において、前記第１締結部及び前記第２締結部それぞれは、半球状である。
【０００９】
本発明において、前記固定部材は、前記固定部材の前記第１締結部と前記第２締結部との間に連結された連結部をさらに備える。
【００１０】
本発明において、前記挿入部は、前記第１方向に沿って前記ガイド部まで延び、前記第１方向及び前記第２方向と垂直の第３方向に沿う前記ガイド部の幅が前記挿入部の幅より大きい。
【００１１】
本発明において、前記固定部材が前記ガイド部内で回転自在になるように、前記ガイド部は、前記第１締結部または前記第２締結部と対応する形状を持つ。
【００１２】
本発明において、前記ガイド部の一側は、前記第１締結部または前記第２締結部の曲率と同じ曲率を持つ。
【００１３】
本発明において、前記ガイド部の一側は、前記対応するガイド部内で前記第１締結部または前記第２締結部の固定のために構成された第１固定部を備える。
【００１４】
本発明において、前記第１締結部または前記第２締結部のうち少なくともいずれか一つは、前記第１固定部と噛み合ように構成された第２固定部を備える。
【００１５】
本発明において、前記第１固定部または前記第２固定部のうち少なくともいずれか一つは、弾性力を持つ。
【００１６】
本発明において、前記第１固定部または前記第２固定部のうち一つは溝または段差を持ち、前記第１固定部または前記第２固定部のうち他の一つは突起を持つ。
【００１７】
本発明において、前記挿入部は、前記第１方向に延びた複数の挿入部を備え、前記ガイド部は、複数のガイド部を備え、前記挿入部とガイド部とは互いに交互に配され、前記第１方向及び前記第２方向と垂直の第３方向に沿う前記ガイド部の幅それぞれの幅は、前記挿入部のうち対応する一つの挿入部の幅より大きい。
【００１８】
本発明において、前記フレームは、前記第１面の端部から前記第２方向に沿って延びた第２面をさらに備え、前記第１挿入ホールの一部は、前記第２方向に沿って前記第２面内に延びる。
【００１９】
本発明において、前記複数の太陽電池モジュールのうちいずれか一つの太陽電池モジュールは、前記フレームの前記第２面に沿って延びた第２挿入ホールをさらに備える。
【００２０】
本発明において、前記隣接する２つのモジュールの前記第１挿入ホールは、前記第２方向に互いに対向し、互いに対称形状である。
【００２１】
また、前記目的を達成するための本発明の他の側面による固定部材は、隣接する太陽電池モジュールを連結するための固定部材であり、第１締結部と、第２締結部と、第１方向に沿って延び、前記第１締結部及び前記第２締結部とそれぞれ連結された一端及び他端を備える連結部と、を備え、前記第１方向と垂直の第２方向に沿う前記第１締結部及び前記第２締結部の幅は、前記連結部の幅より広く、前記第１締結部及び前記第２締結部それぞれの断面は、曲線側及び直線側を備え、前記第１方向が前記断面に対して基準になり、前記第１締結部及び前記第２締結部が、それぞれ前記隣接する太陽電池モジュールの挿入ホールに載置する時、前記固定部材は、前記第１方向に沿って延びた軸周りに回転自在に構成される。
【００２２】
本発明において、前記固定部材は、半ダンベル状である。
【００２３】
本発明において、前記第１締結部及び前記第２締結部それぞれは、半球状である。
【００２４】
本発明において、前記連結部の断面は、長方形、円形または半円形である。
【００２５】
本発明において、前記固定部材は、前記挿入ホールの他の部分では回転不能であり、前記挿入ホールのガイド部内で前記第１方向に延びた軸周りに回転自在に、前記第１締結部及び前記第２締結部それぞれは、前記挿入ホールの前記ガイド部に対応する形状を持つ。
【００２６】
本発明において、前記曲線側は、前記挿入ホールの前記ガイド部の一側と同じ曲率を持つ。
【００２７】
本発明において、前記第１締結部または前記第２締結部のうち少なくともいずれか一つは、第１固定部を備え、前記第１固定部は、前記挿入ホールの前記ガイド部の一側上の第２固定部と噛み合ように構成される。
【００２８】
本発明において、前記第１固定部または前記第２固定部のうち少なくともいずれか一つは、弾性力を持つ。
【００２９】
本発明において、前記第１固定部または前記第２固定部のうち一つは、溝または段差を持ち、前記第１固定部または前記第２固定部のうち他の一つは、突起を持つ。
【００３０】
本発明において、前記第１締結部及び前記第２締結部それぞれは、半円筒状である。
【００３１】
本発明において、前記第１締結部及び前記第２締結部それぞれは、前記第１方向に沿って互いに離隔している２つの半円筒部を備える。
【００３２】
本発明において、前記曲線側は、他の曲率半径を持つ少なくとも２つのセクションを備える。
【００３３】
本発明において、前記第１方向に沿う前記第１締結部及び前記第２締結部それぞれの断面は、テーパ状である。
【発明の効果】
【００３４】
本発明の一実施形態によれば、太陽電池モジュール間の結合及びアライメントを容易に行える。
【図面の簡単な説明】
【００３５】
【図１Ａ】本発明の一実施形態による太陽電池モジュール間の結合構造を概略的に示す図面である。
【図１Ｂ】本発明の他の実施形態による太陽電池モジュールを概略的に示す図面である。
【図２】図１Ａの太陽電池部を示す分解斜視図である。
【図３】本発明の一実施形態による図１Ａの固定部材を示す図面である。
【図４】図１Ａの太陽電池モジュールのＩ−Ｉ’断面図である。
【図５Ａ】図１Ａの太陽電池モジュール間の結合方法を示す図面である。
【図５Ｂ】図１Ａの太陽電池モジュール間の結合方法を示す図面である。
【図５Ｃ】図１Ａの太陽電池モジュール間の結合方法を示す図面である。
【図６Ａ】図１Ａの太陽電池モジュール間の結合構造の変形例を示す図面である。
【図６Ｂ】図１Ａの太陽電池モジュール間の結合構造の他の変形例を示す図面である。
【図７】図１Ａの太陽電池モジュール間の結合構造のさらに他の変形例を示す図面である。
【図８】本発明の多様な実施形態による他の固定部材を示す図面である。
【図９】本発明の多様な実施形態による他の固定部材を示す図面である。
【図１０】本発明の多様な実施形態による他の固定部材を示す図面である。
【図１１】本発明の多様な実施形態による他の固定部材を示す図面である。
【発明を実施するための形態】
【００３６】
以下の図面で、各構成要素は説明の便宜及び明確性のために誇張または省略されるか、あるいは概略的に図示され、各構成要素のサイズは実際サイズを全的に反映するものではない。また、各構成要素の説明に当って、上（ｏｎ）または下（ｕｎｄｅｒ）に形成されると記載される場合において、上（ｏｎ）及び下（ｕｎｄｅｒ）は、直接（ｄｉｒｅｃｔｌｙ）または他の構成要素を介して（ｉｎｄｉｒｅｃｔｌｙ）形成されることをいずれも含み、上（ｏｎ）または下（ｕｎｄｅｒ）に対する基準は、図面を基準として説明する。また、同じ構成要素については、たとえ他の図面に図示されているとしても、同じ識別符号を使う。
【００３７】
以下では、図面を参照して本発明をさらに詳細に説明する。
【００３８】
図１Ａは、本発明の一実施形態による太陽電池モジュール間の結合構造を概略的に示す図面、図１Ｂは、本発明の他の実施形態による太陽電池モジュールを概略的に示す図面、図２は、図１Ａの太陽電池部を示す分解斜視図、図３は、本発明の一実施形態による図１Ａの固定部材を示す図面、図４は、図１Ａの太陽電池モジュールのＩ−Ｉ’断面図、図５Ａないし図５Ｃは、図１Ａの太陽電池モジュール間の結合方法を示す図面である。
【００３９】
図１Ａを参照すれば、本発明の一実施形態による太陽電池モジュール間の結合構造は、互いに隣接して配された第１太陽電池モジュール１と、第２太陽電池モジュール２と、を結合する構造であり、第１太陽電池モジュール１に形成された第１挿入ホール２１１、及び第２太陽電池モジュール２に形成された第２挿入ホール２１２に固定部材３００を押し込むことで、第１太陽電池モジュール１と第２太陽電池モジュール２とが結合できる構造である。
【００４０】
先ず、第１太陽電池モジュール１及び第２太陽電池モジュール２は、互いに同じ形状である長方形に形成され、架台（図示せず）などに載置された後、互いに連結されてアレイを形成する。
【００４１】
第１太陽電池モジュール１及び第２太陽電池モジュール２それぞれは、太陽電池部１００と、太陽電池部１００のエッジに結合されたフレーム２００と、を備える。一方、第１太陽電池モジュール１及び第２太陽電池モジュール２は、互いに構成が同一であるので、以下では、説明の便宜のために第１太陽電池モジュール１を相手取って説明する。また、第１太陽電池モジュール１は、第１方向ｘ、第１方向ｘと垂直の第２方向ｙと、第１方向ｘ及び第２方向ｙと垂直の第３方向ｚとを参照して説明する。一例として、第１方向ｘは、第１太陽電池モジュール１の高さ方向であり、第２方向ｙは、第１太陽電池モジュール１の幅方向、そして第３方向ｚは、第１太陽電池モジュール１の厚さ方向である。
【００４２】
太陽電池部１００は、図２に示したように、複数の太陽電池１１０、複数の太陽電池１１０を電気的に連結して太陽電池ストリング１３０をなすリボン１２０、複数の太陽電池１１０の上部に位置する第１密封フィルム１４０及び前面基板１６０、そして複数の太陽電池１１０の下部に位置する第２密封フィルム１５０及び背面基板１７０を備える。
【００４３】
太陽電池１１０は、太陽エネルギーを電気エネルギーに変化させる半導体素子であり、例えば、太陽電池１１０は、シリコン太陽電池、化合物半導体太陽電池、染料感応型太陽電池または積層型太陽電池などである。
【００４４】
リボン１２０は、複数の太陽電池１１０を電気的に直列、並列または直並列に連結して太陽電池ストリング１３０をなす。具体的に、リボン１２０は、太陽電池１１０の受光面上に形成された前面電極と、隣接する他の太陽電池１１０の裏面上に形成された背面電極と、をタブ入力工程によって連結できる。タブ入力工程は、太陽電池１１０の一面にフラックスを塗布し、フラックスが塗布された太陽電池１１０にリボン１２０を位置させた後、焼成過程を通して行える。または、太陽電池１１０の一面とリボン１２０との間に伝導性フィルム（図示せず）を貼り付けた後、熱圧着によって複数の太陽電池１１０を直列または並列に連結する。
【００４５】
一方、各太陽電池ストリング１３０は、バスリボン１２５によって電気的に接続される。具体的にバスリボン１２５は、複数列縦隊に配される太陽電池ストリング１３０の両端に横に配され、太陽電池ストリング１３０のリボン１２０の両端を交互に連結できる。また、図面には図示されていないが、バスリボン１２５は、太陽電池モジュール１００の背面に配されるジャンクションボックス（図示せず）と連結される。
【００４６】
第１密封フィルム１４０は、太陽電池１１０の受光面に位置し、第２密封フィルム１５０は、太陽電池１１０の裏面に位置する。第１密封フィルム１４０と第２密封フィルム１５０とは、ラミネーションによって貼り付けて、太陽電池１１０に悪影響を及ぼす水分や酸素などを遮断する。
【００４７】
第１密封フィルム１４０及び第２密封フィルム１５０は、エチレン酢酸ビニル共重合体樹脂（ＥＶＡ）、ポリビニルブチラル、エチレン酢酸ビニル部分酸化物、珪素樹脂、エステル系樹脂、オレフイン系樹脂などが使われる。
【００４８】
前面基板１６０は、第１密封フィルム１４０上に位置し、透光性に優れたガラスまたは高分子材質などで形成される。また、外部の衝撃などから太陽電池１１０を保護するために、前面基板１６０は強化ガラスで形成されることが望ましく、太陽光の反射を防止して太陽光の透過率を高めるために、前面基板１６０は、鉄分が少なく含まれた低鉄分強化ガラスで形成されることがさらに望ましい。
【００４９】
背面基板１７０は、太陽電池１１０の裏面で太陽電池１１０を保護する層であり、防水、絶縁及び紫外線遮断機能を行い、ポリフッ化ビニル／／ＰＥＴ／ポリフッ化ビニルの積層型に形成されるが、これに限定されるものではない。
【００５０】
以上では、太陽電池部１００が結晶質太陽電池１１０を含むことを説明したが、これに限定されず、太陽電池部１００は、薄膜型太陽電池、染料感応型太陽電池または有機高分子型太陽電池を含む。
【００５１】
再び図１Ａを参照すれば、太陽電池部１００のエッジにはフレーム２００が結合され、フレーム２００には第１挿入ホール２１１が形成される。
【００５２】
第１挿入ホール２１１は、第１太陽電池モジュール１のフレーム２００の第１面２０２に沿って形成される。一例として、第１挿入ホール２１１は、フレーム２００の第１面２０２から第１太陽電池モジュール１の第２方向ｙに一定深さまで延び、第１面２０２と垂直の第２面２０４を貫通して第１太陽電池モジュール１の第１方向ｘに沿って形成された溝でありうる。
【００５３】
また、第１挿入ホール２１１の高さは、第１太陽電池モジュール１の第３方向ｚに対応するが、フレーム２００の第１面２０２から第１太陽電池モジュール１の第２方向ｙに進むにつれて、一定の高さを維持していて半球状を持つように形成される。このような第１挿入ホール２１１の形状は、図３で後述する締結部材３００（図３）の形状と同一である。
【００５４】
一方、第１太陽電池モジュール１と隣接する第２太陽電池モジュール２に形成された第２挿入ホール２１２は、第１太陽電池モジュール１の第１方向ｘを基準として、前述した第１挿入ホール２１１と対称に形成される。このような第１挿入ホール２１１及び第２挿入ホール２１２には一つの固定部材３００が同時に挿入されることで、第１太陽電池モジュール１と、第２太陽電池モジュール２とは結合される。
【００５５】
図１Ｂは、本発明の他の実施形態による太陽電池モジュールを概略的に示す図面であり、図１Ｂを参照すれば、第３挿入ホール２１３が第２面２０４に沿ってさらに形成される。よって、第１太陽電池モジュール１は、第２方向ｙのみならず、第１方向ｘにも第３太陽電池モジュール（図示せず）と結合される。
【００５６】
図３は、固定部材３００の平面図（Ａ）、正面図（Ｂ）及び側面図（Ｃ）を示している。図３を参照すれば、固定部材３００は、２つの締結部３２０と、２つの締結部３２０を互いに連結する連結部３１０を備えて構成される。
【００５７】
２つの締結部３２０は、半球状であり、それぞれ第１挿入ホール２１１及び第２挿入ホール２１２に挿入される。２つの締結部３２０が第１挿入ホール２１１及び第２挿入ホール２１２に挿入された時、連結部３１０は、第１挿入ホール２１１及び第２挿入ホール２１２内で固定されるため、第１太陽電池モジュール１と第２太陽電池モジュール２とを互いに分離しなくてもよい。連結部３１０の断面は、長方形、円形、半円などの形状を持つが、これらに限定されず、多様な形状を持つことができる。
【００５８】
一方、図４は、図１ＡのＩ−Ｉ’断面図であり、第１挿入ホール２１１をさらに具体的に示している。図４を参照すれば、第２面２０４を貫通して第１太陽電池モジュール１の第１方向ｘに沿って形成された第１挿入ホール２１１は、載置部２２０まで延びて形成される。
【００５９】
載置部２２０は、第１挿入ホール２１１に挿入された締結部３２０（図３）が載置する領域であり、載置部２２０は、第１挿入ホール２１１が第１太陽電池モジュール１の第１方向ｘに沿って進む途中で下方に９０゜曲げられた形状を持つ。例えば、第１挿入ホール２１１と載置部２２０とは互いに連結されて‘Ｌ’字状を持つ開口を形成する。
【００６０】
載置部２２０は、曲面のガイド部２２２と、第１太陽電池モジュール１の第３方向ｚに形成された係止部２２４で構成される。
【００６１】
ガイド部２２２は、第１挿入ホール２１１と載置部２２０とを連続的に形成させ、締結部３２０（図３）が持つ半球状と同じ曲率半径を持って締結部３２０（図３）の挿入方向に凸状に形成される。
【００６２】
すなわち、ガイド部２２２は凹面を備える。凹面は、部分的な円形の断面でありうる。ここで、部分的な円形の断面は、第１方向ｘと第３方向ｚとが交差する断面でありうる。また、部分的な円形は、７５゜ないし１８０゜、望ましくは９０゜ないし１８０゜、さらに望ましくは１２５゜ないし１８０゜、最も望ましくは１４０゜ないし１８０゜の角を持つ円弧（ａｒｃ  ｏｆ  ａｃｉｒｃｌｅ）である。また、凹面は、部分的な球または円筒でありうる。部分的な球または円筒の凹面は、載置部２２０と同じ半径を持つ球の面積の２５〜５５％、望ましくは３５〜５５％、さらに望ましくは４０〜５０％である。
【００６３】
係止部２２４は、締結部３２０（図３）が載置部２２０に載置された時に締結部３２０（図３）の下面に当接する領域であり、載置部２２０に載置された締結部３２０（図３）が第１太陽電池モジュール１から分離されることを防止する。
【００６４】
一方、図５は、図１Ａの太陽電池モジュール間の結合構造の結合方法を示す図面であり、図５を参照して、太陽電池モジュール間の結合構造の結合方法を説明する。以下、説明の便宜のために締結部３２０の締結態様を図示して説明する。
【００６５】
太陽電池モジュール間の結合構造の結合方法は、先ず、図５の（Ａ）のように締結部３２０が第１挿入ホール２１１に挿入された後、ガイド部２２２に出合うまで第１太陽電池モジュール１の第１方向ｘに沿って進む。
【００６６】
一方、ガイド部２２２は、締結部３２０と同じ形状を持つように一定の曲率半径を持って形成されるので、締結部３２０に第１太陽電池モジュール１の第１方向ｘに力が印加され続ければ、図５の（Ｂ）に示したように、締結部３２０は、ガイド部２２２に沿って載置部２２０内で第１太陽電池モジュール１の第１方向ｘと垂直の方向に回転する。すなわち、締結部３２０は、第２方向ｙで延びた軸周りに回転する。
【００６７】
ガイド部２２２に沿って回転している締結部３２０は、図５の（Ｃ）のように底面が係止部２２４に当接しつつ載置部２２０に載置され、これによって締結部３２０と第１太陽電池モジュール１との結は完了する。
【００６８】
一方、前述したように、固定部材３００（図３）は、連結部３１０（図３）によって２つの締結部３２０が連結され、２つの締結部３２０は、それぞれ第１太陽電池モジュール１の第１挿入ホール２１１と、第２太陽電池モジュール２（図１Ａ）の第２挿入ホール２１２（図１Ａ）とに同時に挿入される。また、連結部３１０（図３）は、第１太陽電池モジュール１と第２太陽電池モジュール２（図１Ａ）との間で外部に露出される可能性があるところ、固定部材３００（図３）は、連結部３１０（図３）に力を加えることで、同時に第１太陽電池モジュール１及び第２太陽電池モジュール２（図１Ａ）に挿入される。
【００６９】
したがって、本発明によれば、固定部材３００（図３）を、単純に第１太陽電池モジュール１及び第２太陽電池モジュール２にそれぞれ形成された第１挿入ホール２１１及び第２挿入ホール２１２に押し込むだけで、互いに隣接して配された第１太陽電池モジュール１と第２太陽電池モジュール２とを容易に結合させ、アライメントを合わせる。
【００７０】
図６Ａ及び図６Ｂは、図１Ａの太陽電池モジュール間の結合構造の変形例を示す図面である。
【００７１】
先ず、図６Ａは、図５の（Ｃ）のように、締結部３２０が載置部２２０に載置された状態を示すが、説明の便宜上、締結部３２０を載置部２２０から分離して図示している。締結部３２０、載置部２２０、ガイド部２２２などは、図３ないし図５で示して説明した通りであるので、以下では相違点のみを説明する。
【００７２】
図６Ａを参照すれば、ガイド部２２２には第１固定部２２６が形成され、締結部３２０には第１固定部２２６と締結される第２固定部３３０が形成される。例えば、第１固定部２２６は突起であり、第２固定部３３０は突起と係合する溝でありうる。
【００７３】
一例として、第１固定部２２６は、ガイド部２２２に沿う締結部３２０の回転方向に突出した形状であり、弾性力を持って形成される。よって、第１固定部２２６は、締結部３２０がガイド部２２２と当接する状態で回転する時、締結部３２０の表面によって圧押され、締結部３２０が載置部２２０に載置されれば、弾性力によって元の状態に復旧され、載置部２２０に形成された第２固定部３３０と結合して噛み合う。よって、締結部３２０が載置部２２０に載置される時、締結部３２０がフレーム２００から分離されることを効果的に防止する。
【００７４】
一方、図６Ａでは、第１固定部２２６が一つの突起に形成されたことを示しているが、本発明はこれに限定されず、図６Ｂに示したように、第１固定部２２６は２つ以上の突起が形成される。また、第１固定部２２６が溝であり、第２固定部３３０が突起であってもよい。
【００７５】
図７は、図１Ａの太陽電池モジュール間の結合構造の他の変形例を示す図面である。
【００７６】
図７は、図５の（Ａ）のように、締結部３２０が第１挿入ホール２１１に挿入される状態を示している。フレーム２００、締結部３２０、第１挿入ホール２１１などは、図１ないし図５で示して説明した通りであるので、以下では相違点のみを説明する。
【００７７】
図７を参照すれば、第１挿入ホール２１１が第１太陽電池モジュール１の第１方向ｘに沿ってフレーム２００内に形成され、第１挿入ホール２１１は、複数の載置部２２０Ａ〜２２０Ｃと連結される。
【００７８】
図７では、３つの第１載置部２２０Ａ、第２載置部２２０Ｂ及び第３載置部２２０Ｃが形成されたことを示しているが、これに限定されるものではない。
【００７９】
第１挿入ホール２１１には、順次に複数の締結部材３００（図３）が挿入され、第１載置部２２０Ａ、第２載置部２２０Ｂ及び第３載置部２２０Ｃには、それぞれ締結部３２０が載置される。
【００８０】
したがって、第１太陽電池モジュール１と、第２太陽電池モジュール２（図１Ａ）との結合力がさらに向上する。
【００８１】
図８ないし図１１は、本発明の多様な実施形態による他の固定部材を示す図面である。
【００８２】
図８は、固定部材４００の平面図（Ａ）、正面図（Ｂ）及び側面図（Ｃ）を示している。図８を参照すれば、固定部材４００は、２つの締結部４２０と、２つの締結部４２０を互いに連結する連結部４１０とを備える。２つの締結部４２０それぞれは、半円筒状である。連結部４１０の断面は、長方形、円形または半円形でありうるが、これらに限定されるものではない。
【００８３】
図９は、固定部材５００の平面図（Ａ）、正面図（Ｂ）及び側面図（Ｃ）を示している。図９を参照すれば、固定部材５００は、２つの締結部５２０と、２つの締結部５２０を互いに連結する第１連結部５１０と、を備える。
【００８４】
２つの締結部５２０それぞれは、第１方向に沿って互いに離隔している２つの半円筒部５２０ａ、５２０ｂを備える。２つの半円筒部５２０ａ、５２０ｂは、第２連結部５３０によって互いに連結される。第２連結部５３０は、第１連結部５１０と連続的に形成される。第１連結部５１０及び第２連結部５３０の断面は、長方形、円形または半円形でありうるが、これらに限定されるものではない。
【００８５】
図１０は、固定部材６００の平面図（Ａ）、正面図（Ｂ）及び側面図（Ｃ）を示している。図１０を参照すれば、固定部材６００は、２つの締結部６２０と、２つの締結部６２０を互いに連結する連結部６１０と、を備える。
【００８６】
ここで、２つの締結部６２０それぞれの断面は、曲線側６２０ａ及び直線側を備え、曲線側６２０ａは、異なる曲率半径を持つ少なくても２つの第１セクション６２０ａ１及び第２セクション６２０ａ２を備える。
【００８７】
第１セクション６２０ａ１は、締結部と同じ半径を持つ半円筒部面積の２５〜５０％であり、望ましくは３０〜４５％、さらに望ましくは３５〜４０％である。
【００８８】
第２セクション６２０ａ２は、フランジである。フランジは、載置部の対応するセクションに挟み込まれ、固定される。フランジは、フレキシブルな性質を持ち、締結部６２０と載置部との結合力を向上させる。
【００８９】
連結部６１０の断面は、長方形、円形または半円形でありうるが、これらに限定されるものではない。
【００９０】
図１１は、固定部材７００の平面図（Ａ）、正面図（Ｂ）及び側面図（Ｃ）を示している。図１１を参照すれば、固定部材７００は、２つの締結部７２０と２つの締結部７２０とを互いに連結する連結部７１０を備える。
【００９１】
ここで、第１方向に沿う２つの締結部７２０それぞれの断面は、テーパ状である。また、連結部７１０の断面は、長方形、円形または半円形であるが、これらに限定されるものではない。
【００９２】
本発明によるモジュール間の結合構造は、前述した実施形態の構成及び方法が限定して適用されるものではなく、前記実施形態は多様な変形がなされるように各実施形態の全部または一部が選択的に組み合わせられて構成されてもよい。
【００９３】
また、以上では本発明の望ましい実施形態について図示して説明したが、本発明は前述した特定の実施形態に限定されず、特許請求の範囲で請求する本発明の趣旨を逸脱せずに当業者によって多様な変形実施が可能であるということはいうまでもなく、これらの変形実施は本発明の技術的思想や見込みから個別的に理解されてはならない。
【産業上の利用可能性】
【００９４】
本発明は、太陽電池モジュール間の結合構造関連の技術分野に好適に用いられる。
【符号の説明】
【００９５】
１    第１太陽電池モジュール
２    第２太陽電池モジュール
１００    太陽電池部
２００    フレーム
２１１    第１挿入ホール
２１２    第２挿入ホール
２２０    載置部
２２２    ガイド部
３００    固定部材
３１０    連結部
３２０    締結部
【図１Ａ】
2014022728.tif 000003
【図１Ｂ】
2014022728.tif 000004
【図２】
2014022728.tif 000005
【図３】
2014022728.tif 000006
【図４】
2014022728.tif 000007
【図５Ａ】
2014022728.tif 000008
【図５Ｂ】
2014022728.tif 000009
【図５Ｃ】
2014022728.tif 000010
【図６Ａ】
2014022728.tif 000011
【図６Ｂ】
2014022728.tif 000012
【図７】
2014022728.tif 000013
【図８】
2014022728.tif 000014
【図９】
2014022728.tif 000015
【図１０】
2014022728.tif 000016
【図１１】
2014022728.tif 000017